(57)【要約】      （修正有）【課題】建築物の断熱パネルや防火パネル等の剥離作業が迅速簡単に且つ軽負荷で安全に実施できる堅牢な剥離器具を提供する。【解決手段】柄１００の本体１００Ｈに、エアー受給管２０１を接続するエアーハンマー２００を設け、エアーハンマー２００のピストンロッド２０７の先端部を本体１００Ｈの前端から前後動自在に突出してこの突出部に直接又は打撃リンクアーム３０１を介してスクレーパ３０２を交換可能に装着し、打撃リンクアーム３０１を複数本にして連結具により交換可能に接続し、柄１００の本体１００Ｈに操作用のハンドルを設けると共に肩掛けバンド２０８を取り付けたことを特徴とする。【選択図】図１
0003184674.tif 000002
【実用新案登録請求の範囲】
【請求項１】
柄（１００）の本体（１００Ｈ）に、エアー受給管（２０１）を接続するエアーハンマー（２００）を設け、前記エアーハンマー（２００）のピストンロッド（２０７）の先端部を本体（１００Ｈ）の前端から前後動自在に突出してこの突出部に直接又は打撃リンクアーム（３０１）を介してスクレーパ（３０２）を交換可能に装着したことを特徴とする剥離器具。
【請求項２】
前記打撃リンクアーム（３０１）を複数本にして連結具（３２０）により交換可能に接続したことを特徴とする請求項１に記載の剥離器具。
【請求項３】
前記  柄（１００）の本体（１００Ｈ）に操作用のハンドル（２００Ａ）を設けると共に肩掛けバンド（２０８）を取り付けたことを特徴とする請求項１又は請求項２に記載の剥離器具。
【考案の詳細な説明】
【技術分野】
【０００１】  本考案は、天井、横壁、床等に配設した断熱パネル、防火パネル、防音パネル等を迅速簡易に剥離解体し、しかも作業者の負荷を大幅に軽減した剥離器具に関するものである。
【背景技術】
【０００２】建築物における天井、横壁、床等に配設した断熱パネル、防火パネル、防音パネル等の剥離解体は、従来、スクレーパと称して柄（握り柄）の先に箆状のスクレーパを取り付けた器具で行っていたため多大な労力と時間と費用のかかる人海戦術作業であった。【０００３】いた
例えば天井の発泡スチロール製の断熱パネルの剥離解体作業の場合は、作業者が脚立に登り天井に近ずきスクレーパの柄を手片で持ち、スクレーパを断熱パネルの表面に押し込み断熱パネルの接着面に沿ってスクレーパの先を前後に移動させながら徐々に剥ぎ取っていき、手の届く範囲を終えると、脚立から一旦降りて、脚立を次の作業位置に移動させることを繰り返しながら剥離作業を進めていく厄介で多大な労力と時間と費用の掛かる作業となり、しかも脚立に乗りながらの作業でもあり、危険も伴うものでもあった。
【考案の概要】
【考案が解決しようとする課題】
【０００４】本考案は、剥離作業が迅速簡単に且つ軽負荷で安全に実施できる堅牢で軽量化を可能にした剥離器具を提供するものである。
【課題を解決するための手段】
【０００５】上記課題を満足させる本考案の剥離器具の基本的な技術構成は、次の（１）〜（３）の通りである。
（１）、柄（１００）の本体（１００Ｈ）に、エアー受給管（２０１）を接続するエアーハンマー（２００）を設け、前記エアーハンマー（２００）のピストンロッド（２０７）の先端部を本体（１００Ｈ）の前端から前後動自在に突出してこの突出部に直接又は打撃リンクアーム（３０１）を介してスクレーパ（３０２）を交換可能に装着したことを特徴とする剥離器具。
（２）、前記打撃リンクアーム（３０１）を複数本にして連結具（３２０）により交換可能に接続したことを特徴とする前記（１）に記載の剥離器具。
（３）、前記  柄（１００）の本体（１００Ｈ）に操作用のハンドル（２００Ａ）を設けると共に肩掛けバンド（２０８）を取り付けたことを特徴とする前記（１）又は（２）に記載の剥離器具。
【考案の効果】
【０００６】本考案の剥離器具は、堅牢で簡単構造であり、前記した建築物における天井、横壁、床等に配設した断熱パネル、防火パネル、防音パネル等の剥離解体を迅速簡単に且つ軽負荷で安全に実施することができる優れた作用効果を呈するものである。
例えば天井の断熱パネルの剥離解体作業の場合、打撃リンクアームが短尺であっても脚立上で本考案の剥離器具の柄本体を両手で持ちエアー受給管の開閉弁を引き金で操作しながらスクレーパを断熱パネルに押し当てエアーハンマのピストンを往復動作させて打ち込んでいくのみで簡単に且つ安全に断熱パネルを接着面から迅速綺麗に剥離解体することができるのである。
また打撃リンクアームを長尺のものに交換すれば或いは、継手を用いて伸ばせば、作業者が脚立を使用しなくても床上にて柄本体を両手で持ち、打撃リンクアームの先端のスクレーパを天井の断熱パネルに押しつけ、エアーハンマーのピストンを往復動作させるのみで、スクレーパで簡単に断熱パネルを連続的に剥離解体していくことが出来る極めて安全軽負荷でしかも作業効率の極めて高い剥離解体作業を可能にするものである。
【図面の簡単な説明】
【０００７】
【図１】本考案の剥離器具の実施例の具体例１を示す一部断面の全体側面説明図（１）であり、（２）は具体例２を示す一部断面の全体側面説明図（１）であり、（３）にはスクレーパの平面図を示す。
【図２】本考案の剥離器具の他の具体例３を示す一部断面の全体側面説明図（１）であり、（２）はエアーハンマー２００の一例の縦断面説明図を示す。
【考案を実施するための形態】
【０００８】  本考案の剥離器具を実施するための形態は、以下の実施例に紹介の具体例１〜３により詳細に説明する。
【実施例１】
【０００９】図１において、（１）に示す具体例１の剥離器具は、柄１００の本体１００Ｈにハンンドル１００Ａと肩掛けバンド２０８を取り付け、エアーハンマー２００を内蔵し、エアーハンマー２００のピストンロッド２０７の前端部に直接ダイヤモンドカッター３０４付のスクレーパ３０２の後端部を着脱具３０３で交換可能に装着する。【００１０】（２）に示す具体例２の剥離器具は、柄１００の本体１００Ｈにハンンドル１００Ａと肩掛けバンド２０８を取り付け、エアーハンマー２００を内蔵し、エアーハンマー２００のピストンロッド２０７の前端部に連結具３１０で打撃リンクアーム３０１を連結し、打撃リンクアーム３０１にダイヤモンドカッター３０４付のスクレーパ３０２を連結具３０３で交換可能に連結する。
ハンンドル１００Ａは、湾曲型、棒状型、丸型等にして、剥離器具１００の本体２００Ｈの保持と、保持しながらスクレーパ３０２を被剥離物に適正な剥離効果が得られるように全体を回動操作したり被剥離物に当接したり接近・離間等の操作するものである。
ハンンドル１００Ａの個数と配置は、作業性を有利に展開する目的で単数本又は複数本を、配置は横向き縦向き、斜め向き等適宜に設定すればよい。
肩掛けバンド２０８は長時間の作業の際等に使用して作業の負荷軽減に役立てる。【００１１】エアーハンマー２００は、エアー受給管２０１と、エアー受給管２０１に開閉弁２０３を介して連通するシリンダー２０５と、開閉弁２０３を開閉する開閉操作用の引き金２０２と、シリンダー２０５内に収容したピストン２０６と、ピストン２０６に一体的に連結したピストンロッド２０７と、ピストンロッド２０７とからなりピストンロッド２０７の前端部は柄１００の本体１００Ｈから所定長さ突出して前後動自在に支持されている。【００１２】引き金２０２は、ピストル型のホルダーを２０２ａを有し、図示していないが開閉弁２０３を回動させて開閉するものであり、通常はロック機構で開閉弁２０３を閉止して安全性を保持し、作業時に手動又は電動でロック機構を解除して例えばスプリング機構に抗して引き金２０２を指先で引いて開にし、引き金２０２から指先をはなしてスプリング機構の復元力により閉にするものである。【００１３】打撃リンクアーム３０１は、一体ものにしてあり、後端部を前記ピストンロッド２０７の前端部に着脱可能に連結具３１０で接続し、前端部にスクレーパ３０２の後端部を着脱具３０３で交換可能に装着する。【００１４】連結具３１０は、打撃リンクアーム３０１の後端部を嵌合挿入する嵌合部３１０ａと、アーム後端部の突起３１０ｂを押さえて嵌合部３１０ａに螺合締連結するカップリング３１０ｃとからなる。
着脱具３０３はスクレーパ３０２の後端部を嵌合挿入する嵌合部３０３ａと、嵌合部３０３ａに嵌合挿入したスクレーパ３０２の後端部を押さえて固定する螺子止め具３０３ｂとからなる。【００１５】図２の（１）には他の具体例３を示し、繋（つなぎ）打撃リンクアーム３０１を紹介する。
図２に示す打撃リンクアーム３０１は、３本の繋アーム３０１−１〜２０１−３にし各繋アーム３０１−１〜２０１−３を着脱可能に連結具３２０で連結して、作業床から直接高所部の被剥離パネルを剥離解体するタイプである。
連結具３２０はアーム後端部を嵌合挿入する嵌合部３２０ａと、アーム後端部の突起３２０ｂを押さえて嵌合部３２０ａに螺合締連結するカップリング３２０ｃとからなる。【００１６】エアーハンマー２００の構造は、図１の例と同一であり、特許第２５１１１００号公報の発明で同公報図３〜図６に紹介のエアーハンマーを例にしてあり図１に添えた拡大図は前記公報の図３を援用変形して紹介してある。
エアーハンマー２００はこの例に限らず広く公知のエアーハンンマーであれば適用できる。【００１７】図２の（２）に拡大して示す、エアーハンマー２００は、シリンダ２０５に、圧縮空気源に接続したエアー受給管２０１に連通する圧縮空気供給口１と同供給口１より前方に空気抜穴６が設けられ、また後部にはツバ部３ａが設けられている。
空気抜穴６は本体２００Ｈに設けた排気口２０９に連通してある。
またシリンダ２０５の後部には押え蓋５が配置され、後方からシリンダキャップ８が螺合されている。シリンダキャップ８と押え蓋５との間には緩衝用のスプリング７が介装されている。シリンダ２０５内にはピストン２０６を前後動可能に挿入されてある。同ピストン２０６は後方が開口２０６ａし、ピストン軸方向とピストン２０６に一体的に形成したピストンロッド２０７まで延びる穴３ｂが連通形成され、ピストンロッド２０７部のシリンダ内側方には同穴３ｂに連通して開口する空気穴４が設けられている。【００１８】上記構成のエアーハンマー２００は、圧縮空気供給口１からシリンダ２０５内に圧縮空気を供給すると、シリンダ２０５内のピストン２０６のツバ部３ａが圧縮空気力を受けピストン２０６が後方に作動する。
そしてピストン２０６が後方の死点２０６ｅ近傍まで後退すると、圧縮空気供給口１から空気穴４と空気穴３ｂを通ってピストン２０６の後端部と押え蓋５の空間へ圧縮空気が流入し、ピストン２０６の後端部を圧縮して、ピストン２０６は急激に前進する。そしてピストンロッド２０７の空気穴４がシリンダ２２０５の空気抜穴６の位置まで前進した時には、ピストンロッド２０７の圧縮空気が穴３ｂを通って空気穴４から空気抜き口６を通り排気口２０９から外気中に排出して、次に作動するピストン２０６の後進を容易にする。この空気穴４からの空気排出によりピストン２０６後部側のシリンダ内空気圧が急激に低下するが、ピストン２０６はその慣性により前進を続ける。一方、ピストン２０６が前進すると、ピストン２０６のツバ部３ａに作用する圧縮空気により前進を続けて図示の状態に戻ることになる。
この一連の動作を繰返してピストンロッド２０７は打撃リンクアーム３０１を介してスクイレーパ３０２を前後の打撃作動させて接着パネル等の付着物を迅速に剥離解体するのである。
【産業上の利用可能性】
【００１６】本考案は、建築建設業界は勿論のこと、剥離解体産業に貢献すること多大なものがある。
【符号の説明】
【００１７】１００：柄                              ２０３：開閉弁
１００Ｈ：本体                          ２０５：シリンダー
１００Ａ：ハンドル                      ２０６：ピストン
２０１：エアー受給管                    ２０７：ピストンロッド
２０２：開閉操作引き金                  ３０２：スクレーパ
３２０：連結具
【図１】
0003184674.tif 000003
【図２】
0003184674.tif 000004